(57)【要約】  一例のアセンブリが少なくとも一つの長尺の引張部材（２６）を含む。ジャケット（３４）が引張部材（３２）の少なくとも一部を被覆する。ポリマジャケット（３４）は、アセンブリが高温条件に曝された場合に引張部材近傍のジャケット材料の維持を促進するメラミンベースの形状安定剤を含んだポリマ材料を備える。
2012500340.tif 000002
【特許請求の範囲】
【請求項１】
少なくとも１つの長尺の引張部材と、
前記少なくとも１つの引張部材の少なくとも一部を被覆するジャケットと、
を備え、
前記ジャケットが、ポリマ材料と、高温条件に曝された場合に前記引張部材近傍のジャケット材料の維持を促進するメラミンベースの形状安定剤と、を備えたアセンブリ。
【請求項２】
前記形状安定剤が、リン酸メラミンを備えることを特徴とする請求項１に記載のアセンブリ。
【請求項３】
前記形状安定剤が、ポリリン酸メラミンを備えることを特徴とする請求項１に記載のアセンブリ。
【請求項４】
前記形状安定剤が、炭化水素リン酸塩を備えることを特徴とする請求項２に記載のアセンブリ。
【請求項５】
前記ジャケット材料が熱可塑性ポリウレタンを備え、前記形状安定剤がリン酸メラミンもしくはポリリン酸のうち少なくとも１つを備えることを特徴とする請求項１に記載のアセンブリ。
【請求項６】
前記ジャケット材料が弾性合金を備え、前記形状安定剤が炭化水素リン酸塩を備えることを特徴とする請求項１に記載のアセンブリ。
【請求項７】
前記ジャケットにより少なくとも部分的に被覆された複数の長尺のコード引張部材を備えることを特徴とする請求項１に記載のアセンブリ。
【請求項８】
前記アセンブリが、エレベータ荷重支持部材を備えることを特徴とする請求項１に記載のアセンブリ。
【請求項９】
前記エレベータ荷重支持部材が、フラットベルトを備えることを特徴とする請求項８に記載のアセンブリ。
【請求項１０】
前記アセンブリが、乗用コンベヤの駆動部材もしくは乗用コンベヤの移動手すりのうちの１つを備えることを特徴とする請求項１に記載のアセンブリ。
【請求項１１】
前記駆動部材が、駆動ベルトを備えることを特徴とする請求項１０に記載のアセンブリ。
【請求項１２】
前記ポリマ材料が、５０重量％までの前記形状安定剤を備えることを特徴とする請求項１に記載のアセンブリ。
【請求項１３】
前記ポリマ材料が、２〜２０重量％の前記形状安定剤を備えることを特徴とする請求項１２に記載のアセンブリ。
【請求項１４】
前記形状安定剤は、高温条件に反応して前記ジャケットの外表面に安定した膨張殻を提供するように作用することを特徴とする請求項１に記載のアセンブリ。
【請求項１５】
ポリマジャケットにより少なくとも部分的に被覆された少なくとも１つの長尺のコード引張部材を有するアセンブリの製造方法であって、
ポリマ材料を用意し、
メラミンベースの形状安定剤を用意し、
前記ポリマ材料および前記形状安定剤を所望の形状のジャケットに成形するステップを備えた、アセンブリの製造方法。
【請求項１６】
高分子樹脂と前記形状安定剤を混合させることにより一群の混合材料を用意し、
前記一群の混合材料を前記ポリマ材料と混合させることにより一群のジャケット材料を用意することを備え、
前記成形ステップが、前記一群のジャケット材料を用いることを特徴とする請求項１５に記載のアセンブリの製造方法。
【請求項１７】
前記形状安定剤が、リン酸ベースであることを特徴とする請求項１５に記載のアセンブリの製造方法。
【請求項１８】
前記リン酸ベースの形状安定剤が、炭化水素リン酸塩、リン酸メラミン、もしくはポリリン酸メラミンのうちの少なくとも１つを備えることを特徴とする請求項１７に記載のアセンブリの製造方法。
【請求項１９】
前記混合材料の用意が、該混合材料のマスターバッチ中に５０重量％までの量に対応する前記形状安定剤を用いることを特徴とする請求項１５に記載のアセンブリの製造方法。
【請求項２０】
前記ジャケット材料の用意が、前記ジャケット材料中の２〜２０重量％の量に対応する前記形状安定剤を用いることを特徴とする請求項１５に記載のアセンブリの製造方法。
【発明の詳細な説明】
【技術分野】
【０００１】
本発明は、エレベータ荷重支持部材、乗用コンベヤの移動手すり、乗用コンベヤに用いられる駆動ベルト等の、ポリマジャケットアセンブリに関し、特に、形状安定剤を備えたポリマジャケットアセンブリに関する。
【背景技術】
【０００２】
例えば、エレベータ荷重支持部材すなわちロープ機構や、乗用コンベヤ等の装置用駆動ベルト、乗用コンベヤの移動手すりなど、長尺の可撓性アセンブリには様々な用途が存在する。こうしたアセンブリはポリウレタンジャケットで被覆される複数のコードを考慮して設計される。例えば、特許文献１および特許文献２は、エレベータシステム内のエレベータかごおよびつり合いおもりの懸垂用のベルトを示す。一例の乗用コンベヤの移動手すりの構造が特許文献３に示される。一例の乗用コンベヤの駆動ベルトが特許文献４に示される。
【先行技術文献】
【特許文献】
【０００３】
【特許文献１】米国特許第６２９５７９９号明細書
【特許文献２】米国特許第６７３９４３３号明細書
【特許文献３】米国特許第４９８２８２９号明細書
【特許文献４】米国特許第６５４００６０号明細書
【発明の概要】
【発明が解決しようとする課題】
【０００４】
こうしたアセンブリでは、アセンブリ付近で火災が起きた場合などの極度に高い温度条件下でポリマジャケットが溶融する場合がある。溶融したジャケット材料は他のシステムコンポーネントや構造体に不必要に滴り落ちる場合がある。例えば、エレベータ荷重支持部材の溶融したジャケット材料はエレベータかごの頂部やエレベータピットの床面に滴り落ちる可能性がある。乗用コンベヤの場合、移動手すりが欄干もしくはコンベヤのトラスに関連するその他のコンポーネント上に落ちる可能性がある。同様に、乗用コンベヤの駆動ベルトが溶融し、駆動コンポーネント上に滴り落ちる場合がある。
【０００５】
火災時等の高温条件の際にポリマジャケット材料のこうした滴下や流出を最小限に抑えるもしくは回避できることが有用である。
【課題を解決するための手段】
【０００６】
一例のアセンブリが少なくとも一つの長尺のコード引張部材を含む。ジャケットが引張部材の少なくとも一部を被覆する。ジャケットは、アセンブリが高温条件に曝された場合に引張部材近傍のジャケット材料の維持を促進するメラミンベースの形状安定剤（ｇｅｏｍｅｔｒｙ  ｓｔａｂｉｌｉｚｅｒ）を含んだポリマ材料を備える。
【０００７】
ポリマジャケットにより少なくとも部分的に被覆された少なくとも一つの長尺のコード引張部材を有するアセンブリの一例の製造方法が、メラミンベースの形状安定剤と基礎ジャケット樹脂とを混合して、混合材料のマスターバッチを用意することを含む。その混合材料が基礎ポリマと混合されてジャケット材料を提供する。次いでジャケット材料が所望の形状のジャケットに成形される。
【０００８】
本発明の様々な特徴および利点が以下の詳細な説明から当業者にとって明らかとなるであろう。詳細な説明に添付の図面を、以下のように簡単に説明する。
【図面の簡単な説明】
【０００９】
【図１】本発明の実施例により設計された荷重支持部材を含むエレベータシステムの選択された部分の概略図。
【図２】一例のエレベータ荷重支持部材アセンブリの概略端面図。
【図３】別の例のエレベータ荷重支持部材アセンブリの概略端面図。
【図４】本発明の実施例により設計された駆動ベルトおよび移動手すりを含んだ乗用コンベヤの概略図。
【図５】一例の駆動ベルトの構成を示す概略図。
【図６】一例の移動手すりの構成を示す概略図。
【図７】本発明の実施例により設計された一例のアセンブリの製造方法を示す概略図。
【発明を実施するための形態】
【００１０】
図１は一例のエレベータシステム２０の選択された部分を概略的に示す。エレベータかご２２およびつり合いおもり２４が荷重支持アセンブリ２６によって懸架される。一例では、荷重支持部材アセンブリ２６は複数のフラットベルトを備える。別の例では、荷重支持アセンブリ２６は複数の円形ロープを備える。
【００１１】
荷重支持アセンブリ２６がエレベータかご２２およびつり合いおもり２４の重量を支持し、綱車２８，３０に沿って移動することにより、エレベータかご２２の所望の位置への移動を容易にする。綱車の一つは、エレベータかご２２を所望のように移動および配置させるように、エレベータ装置により周知の方法で駆動される駆動綱車である。一例のもう一つの綱車は遊び車である。
【００１２】
図２は一例の荷重支持アセンブリ２６の一例のフラットベルトの構造を概略的に示す端面図である。この例では、フラットベルトは、複数の長尺のコード引張部材３２と、引張部材３２と接触するポリマジャケット３４と、を含む。この例では、ジャケット３４が引張部材３２を被覆する。一例では、引張部材３２は、スチール等の巻かれた金属コードを備える。一例ではポリマジャケット３４は熱可塑性エラストマを備える。一例では、ジャケット３４は熱可塑性ポリウレタンを備える。
【００１３】
別の例を図３に概略的に示す。荷重支持アセンブリ２６の一部として用いられるロープの端面図が少なくとも１つの引張部材３２と、ポリマジャケット３４と、を含む。図３の例では、上記のものと同一の材料が用いられる。
【００１４】
図４は一例の乗用コンベヤ４０を概略的に示す。この例では、複数の踏段４２が乗降口４４，４６間で乗員を運ぶように周知のように移動する。コンベヤ４０を移動する際に乗客が掴まるための移動手すり４８が設けられる。
【００１５】
図６に示すように、移動手すり４８はポリマジャケット３４で少なくとも部分的に被覆されたスチールコードなどの複数の引張部材３２を含む。この例のポリマジャケットはグリップ面および移動手すり４８の本体を形成する。
【００１６】
図４の例は、踏段４２を所望の方向に推進させる駆動機構５０を含む。モータ５２が駆動滑車５４を回転させて駆動ベルト５６を移動させる。図５に示すように、一例の駆動ベルト５６は、ジャケット３４で被覆された複数の長尺のコード引張部材３２を有する。ジャケット材料は、駆動滑車５４の対応する面と相互に作用する複数の歯５７を形成する。ステップチェーン５８（図４）が駆動ベルト５６上の歯５９と係合して踏段４２を所望のように移動させる。
【００１７】
実施例の引張部材３２のいずれかに金属が用いられる場合、金属材料は保護金属で被覆してもしなくてもよく、保護金属でめっきしてもよい。例えば、主要鉄類は亜鉛、スズ、もしくは銅で被覆もしくはめっきしてもよい。
【００１８】
上記の実施例の各アセンブリでは、ジャケット材料は、アセンブリ付近の火災に関連した高温条件下においてさえ、１つもしくは複数の引張部材近傍のジャケット材料の維持を促進する形状安定剤を含む。一部の例の形状安定剤は、ジャケット材料と架橋結合することにより、もしくは、ジャケット材料の熱可塑性ポリマの流動を抑制する粘性炭化物（ｆｌｏｗ−ｒｅｓｉｓｔａｎｔ  ｃｈａｒ）もしくはゲルを形成させることにより作用する。一例の形状安定剤は、リン酸メラミンおよびポリリン酸メラミンを含み、これらはジャケットが熱可塑性ポリウレタンなどの熱可塑性エラストマを備えた場合に有用である。別の例の形状安定剤は、炭化水素リン酸塩（ｈｙｄｒｏｃａｒｂｏｎ  ｐｈｏｓｐｈａｔｅ）であり、これはジャケットが、溶融加工が可能なゴム（ｍｅｌｔ−ｐｒｏｃｅｓｓｉｂｌｅ  ｒｕｂｂｅｒ）など、弾性合金を備えた場合に有用である。
【００１９】
実施例の形状安定剤は、その膨張および炭化物の形成を通じて、ジャケット材料が溶融しそれに関連する引張部材からジャケット材料が滴り落ちるのを防ぐ、難燃性を提供する。換言すれば、形状安定剤は、ジャケット材料がその付近の面に滴り落ちるもしくは流出する可能性を防ぐ膨張殻（ｉｎｔｕｍｅｓｃｅｎｔ  ｓｈｅｌｌ）を提供する。実施例の形状安定剤がジャケットの可撓性を低下させず、さもなければ特定の設置の際に選択されたジャケットの特性に支障を及ぼさないように、それらの形状安定剤がジャケットの基材と同様の化学的性質を有している点で有用である。
【００２０】
図７はアセンブリの一例の製造方法６０を概略的に示す。上述したリン酸ベースの形状安定剤のうちの１つなどの、選択された形状安定剤６２の供給物がマスターバッチミキサ６６内で基礎高分子樹脂６４の供給物と混合される。マスターバッチの混合材料中に供給された形状安定剤６２の量は、混合材料の５０重量％までを構成する。一例では、２０〜５０重量％の形状安定剤６２を用いることを含む。
【００２１】
次いで、この例で得られた混合材料のマスターバッチがジャケット材料ミキサ７０中で基礎ポリマ材料６８と混合される。符号７０の混合後に得られるジャケット材料は２０重量％までの形状安定剤を含みうる。一例ではジャケット材料中に２％〜２０％（重量）の形状安定剤を含みうる。
【００２２】
次いで、成形装置などのジャケット成形ステーション７２内で所望の形状のジャケットを提供するように実施例のジャケット材料が成形される。図示の例では、複数のスプール７４がジャケット成形ステーション７２に引張部材３２を供給し、ここで所望のアセンブリをもたらすようにジャケットが引張部材３２の少なくとも１つの外側表面上にモールドされる。図７の場合、結果としてもたらされるアセンブリはエレベータ荷重支持部材２６である。
【００２３】
上記の記載は本質的に限定的なものではなく例示に過ぎない。本発明の真意を逸脱することなく開示の実施例に対する種々の変形や修正が当業者にとって明らかとなるであろう。本発明に付与される法的保護の範囲は付記の特許請求の範囲を検討することによってのみ決定される。
【図１】
2012500340.tif 000003
【図２】
2012500340.tif 000004
【図３】
2012500340.tif 000005
【図４】
2012500340.tif 000006
【図５】
2012500340.tif 000007
【図７】
2012500340.tif 000008
【図６】
2012500340.tif 000009
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
少なくとも１つの長尺の引張部材と、
前記少なくとも１つの引張部材の少なくとも一部を被覆するジャケットと、
を備え、
前記ジャケットが、ポリマ材料と、高温条件に反応して前記ジャケットの外表面に安定した膨張殻を形成するメラミンベースの形状安定剤と、を備え、
前記膨張殻が、前記高温条件時に前記引張部材近傍の前記ジャケット材料を保持することを特徴とする、アセンブリ。
【請求項２】
前記形状安定剤が、リン酸メラミンを備えることを特徴とする請求項１に記載のアセンブリ。
【請求項３】
前記形状安定剤が、ポリリン酸メラミンを備えることを特徴とする請求項２に記載のアセンブリ。
【請求項４】
前記形状安定剤が、炭化水素リン酸塩を備えることを特徴とする請求項２に記載のアセンブリ。
【請求項５】
前記ジャケット材料が熱可塑性ポリウレタンを備え、前記形状安定剤がリン酸メラミンもしくはポリリン酸のうち少なくとも１つを備えることを特徴とする請求項１に記載のアセンブリ。
【請求項６】
前記ジャケット材料が弾性合金を備え、前記形状安定剤が炭化水素リン酸塩を備えることを特徴とする請求項１に記載のアセンブリ。
【請求項７】
前記ジャケットにより少なくとも部分的に被覆された複数の長尺のコード引張部材を備えることを特徴とする請求項１に記載のアセンブリ。
【請求項８】
前記アセンブリが、エレベータ荷重支持部材を備えることを特徴とする請求項１に記載のアセンブリ。
【請求項９】
前記エレベータ荷重支持部材が、フラットベルトを備えることを特徴とする請求項８に記載のアセンブリ。
【請求項１０】
前記アセンブリが、乗用コンベヤの駆動部材もしくは乗用コンベヤの移動手すりのうちの１つを備えることを特徴とする請求項１に記載のアセンブリ。
【請求項１１】
前記駆動部材が、駆動ベルトを備えることを特徴とする請求項１０に記載のアセンブリ。
【請求項１２】
前記ポリマ材料が、５０重量％までの前記形状安定剤を備えることを特徴とする請求項１に記載のアセンブリ。
【請求項１３】
前記ポリマ材料が、２〜２０重量％の前記形状安定剤を備えることを特徴とする請求項１２に記載のアセンブリ。
【請求項１４】
前記形状安定剤は、（ｉ）前記ジャケットのポリマ材料と架橋結合するか、もしくは、（ｉｉ）前記ジャケットのポリマ材料の流動を抑制する粘性炭化物もしくはゲルを形成させるか、の少なくともいずれかにより、前記安定した膨張殻を形成するように作用することを特徴とする請求項１に記載のアセンブリ。
【請求項１５】
ポリマジャケットにより少なくとも部分的に被覆された少なくとも１つの長尺のコード引張部材を有するアセンブリの製造方法であって、
ポリマ材料を用意し、
高温条件に反応して前記ジャケットの外表面に安定した膨張殻を形成するメラミンベースの形状安定剤を用意し、
前記ポリマ材料および前記形状安定剤を所望の形状のジャケットに成形するステップを備え、
前記膨張殻が、前記高温条件時に前記引張部材近傍の前記ジャケット材料を保持することを特徴とする、アセンブリの製造方法。
【請求項１６】
高分子樹脂と前記形状安定剤を混合させることにより一群の混合材料を用意し、
前記一群の混合材料を前記ポリマ材料と混合させることにより一群のジャケット材料を用意することを備え、
前記成形ステップが、前記一群のジャケット材料を用いることを特徴とする請求項１５に記載のアセンブリの製造方法。
【請求項１７】
前記形状安定剤が、リン酸ベースであることを特徴とする請求項１５に記載のアセンブリの製造方法。
【請求項１８】
前記リン酸ベースの形状安定剤が、炭化水素リン酸塩、リン酸メラミン、もしくはポリリン酸メラミンのうちの少なくとも１つを備えることを特徴とする請求項１７に記載のアセンブリの製造方法。
【請求項１９】
前記混合材料の用意が、該混合材料のマスターバッチ中に５０重量％までの量に対応する前記形状安定剤を用いることを特徴とする請求項１６に記載のアセンブリの製造方法。
【請求項２０】
前記ジャケット材料の用意が、前記ジャケット材料中の２〜２０重量％の量に対応する前記形状安定剤を用いることを特徴とする請求項１６に記載のアセンブリの製造方法。
【国際調査報告】
2012500340.tif 000010
2012500340.tif 000011
2012500340.tif 000012